(57)【要約】【課題】口金に指が触れるのを防止すると共に器具効率の低下を招く事がないようにする。【解決手段】ランプ３０と、有底筒状のソケット本体４１に前記ランプ３０の外球３１の端部に固着された口金３２を螺合する筒状の受金４２を内設したランプソケット４０と、前記ランプソケット４０が挿通され、前記ランプソケット４０に装着されたランプ４０から放射される光を反射する反射鏡８とを照明器具本体３に収容してなる照明器具１において、前記ソケット本体４１は、その先端部４９を、少なくとも前記受金４２に螺合した前記ランプ３０の封止部３５を覆う位置まで、外径Ｒ１を等しくしたまま延出させて形成した延出部５１を有する指進入防止部５０を備える。【選択図】図２
2008234893.tif 000002
【特許請求の範囲】
【請求項１】
ランプと、有底筒状のソケット本体に前記ランプの外球の端部に固着された口金を螺合する筒状の受金を内設したランプソケットと、前記ランプソケットが挿通され前記ランプソケットに装着されたランプから放射される光を反射する反射鏡とを照明器具本体に収容した照明器具において、
前記ソケット本体は、その先端部を、少なくとも前記受金に螺合した前記ランプの封止部を覆う位置まで、外径を等しくしたまま延出させて形成した延出部を有する指進入防止部を備えることを特徴とする照明器具。
【請求項２】
請求項１に記載の照明器具において、
前記ランプソケットの前記延出部の内径が先端部に向かって拡径するように前記延出部の内周面をテーパ形状に形成したことを特徴とする照明器具。
【請求項３】
請求項１又は２のいずれかに記載の照明器具において、
前記ソケット本体の内部底面に、前記ランプの口金の先端に設けられた先端接点に接触する中央接触子を設けると共に、当該中央接触子が前記ランプの先端接点に押されたときに当接し前記ランプの挿入を規制する戸当凸部を前記内部底面に設け、
前記戸当凸部が、前記ランプの外球を前記ソケット本体の先端部に接触させない位置で、前記ランプの挿入位置を規制することを特徴とする照明器具。
【発明の詳細な説明】
【技術分野】
【０００１】
本発明は、ランプの口金をねじ込んで固定するランプソケットを備えた照明器具に関する。
【背景技術】
【０００２】
従来、発光管を封止した外球に、例えばＥ３９型等のエジソンタイプの口金を固着してなる、いわゆる、ねじ込み型のランプが広く用いられている。この種のランプを装着するランプソケットは、一般に、有底筒状のソケット本体を有し、このソケット本体に口金に螺合する受金を内設して構成されている（例えば、特許文献１及び特許文献２参照）。
【特許文献１】実開平６−１７１７４号公報
【特許文献２】特開２００５−３４７０７０号公報
【発明の開示】
【発明が解決しようとする課題】
【０００３】
しかしながら、例えば特許文献１に示すように、ランプをランプソケットに装着した場合、ランプの口金がソケット本体から露出する、という問題がある。ランプの口金がソケット本体から露出すると、口金に指などが触れ易く感電の危険性がある。
この問題を解消するために、例えば、図７に示すような構成のランプソケット１００が考えられ得る。すなわち、このランプソケット１００は、ランプ２００の口金２０１が螺合する受金１０２が内設されたソケット本体１０１を有し、このソケット本体１０１の先端部に、ランプ２００の外球２０３の周囲を覆う覆い部１５０を設け、この覆い部１５０により、ランプ２００の口金２０１に指（図示例では試験指Ｓ）が触れるのを防止することが考えられる。
しかしながら、かかる構成においては、覆い部１５０がソケット本体１０１の径方向に突出するため、ランプ２００から反射鏡３００に向かう光Ｌがソケット本体１０１の覆い部１５０により遮蔽され、器具効率の低下を招く、といった問題がある。
【０００４】
本発明は、上述した事情に鑑みてなされたものであり、口金に指が触れるのを防止すると共に器具効率の低下を招く事のないランプソケットを備えた照明器具を提供することを目的とする。
【課題を解決するための手段】
【０００５】
上記目的を達成するために、本発明は、ランプと、有底筒状のソケット本体に前記ランプの外球の端部に固着された口金を螺合する筒状の受金を内設したランプソケットと、前記ランプソケットが挿通され前記ランプソケットに装着されたランプから放射される光を反射する反射鏡とを照明器具本体に収容した照明器具において、前記ソケット本体は、その先端部を、少なくとも前記受金に螺合した前記ランプの封止部を覆う位置まで、外径を等しくしたまま延出させて形成した延出部を有する指進入防止部を備えることを特徴とする。
【０００６】
また本発明は、上記発明において、前記延出部の内径が先端部に向かって拡径するように前記延出部の内周面をテーパ形状に形成したことを特徴とする。
【０００７】
また本発明は、上記発明において、ソケット本体の内部底面に、前記ランプの口金の先端に設けられた先端接点に接触する中央接触子を設けると共に、当該中央接触子が前記ランプの先端接点に押されたときに当接し前記ランプの挿入を規制する戸当凸部を前記内部底面に設け、前記戸当凸部が、前記ランプの外球を前記ソケット本体の先端部に接触させない位置で、前記ランプの挿入位置を規制することを特徴とする。
【発明の効果】
【０００８】
本発明によれば、指進入防止部により、ソケット本体の先端部と外球との間の隙間が狭まるため、ランプが装着された状態においては、指がランプの口金に触れることが防止されると共に、ソケット本体の先端部を、外径を等しくしたまま延出させた延出部により上記指進入防止部を形成したため、この指進入防止部がソケット本体の径方向に突出することがない。これにより、指進入防止部により反射鏡に向かうランプの光が遮られることがなく、器具効率の低下が防止できる。
【発明を実施するための最良の形態】
【０００９】
以下、図面を参照して本発明の実施の形態について説明する。
＜第１実施形態＞
図１は、本実施形態に係る照明器具１の構成を示す断面図である。
この図に示す照明器具１は、例えば屋外型の道路灯として用いられるものであり、道路の路肩などに立設されるポール２の先端部２Ａに固定される。具体的には、照明器具１の器具本体３を有し、この器具本体３の後側部に上記ポール２の先端部２Ａが挿入され、この先端部２Ａが複数の六角ボルト４により器具本体３に固定されている。
【００１０】
器具本体３は、下面を開口した平面略楕円状をなし、この器具本体３の下側に、器具本体３と同じ材料（例えばアルミダイキャスト）からなる枠体５が取り付けられている。この枠体５は、その後端部がヒンジ体６により器具本体３に回動自在に連結されていると共に、先端部にラッチ７により係脱可能に器具本体３に係止されている。そして、このラッチ７の操作部７Ａを回動操作することにより、ラッチ７の係合が外れて枠体５が回動し、器具本体３の下面を開口できるようになっている。
【００１１】
器具本体３の前側部には、下面を開口した略球面状をなす反射鏡８が設けられているとともに、枠体５には、この反射鏡８の開口を覆うようにして、上面を開口した略球面状をなす硬質ガラス製のグローブ９が設けられている。そして、このグローブ９の周縁部と、反射鏡８の周縁部との間には、環状をなすシリコンゴム製のパッキング１０が挟持され、反射鏡８の内部に雨水が侵入しないように液密に保持されている。
【００１２】
さらに、反射鏡８の後部に形成された挿通孔１１を挿通する状態で、ランプソケット４０が取り付けられている。このランプソケット４０は、図示せぬ電線を介して端子台１２に接続され、さらに、この端子台１２から、ポール２の内部の図示しない安定器や結線ボックスなどを経由して、地中などに設置された電源線に接続されている。
【００１３】
ランプソケット４０には、例えばナトリウムランプ等のランプ３０が装着されている。ランプ３０は、内部に発光管を封止する、硬質ガラスから形成されたＢＴ形の外球３１と、この外球３１の一端部に設けられた、例えばＥ３９型等のエジソンタイプの口金３２とを有している。口金３２の外周には螺旋溝が形成されており、この口金３２をランプソケット４０にねじ込むようにして装着する。なお、ランプ３０としては、エジソンタイプの口金３２を有するものであればナトリウムランプの他にも、水銀ランプやメタルハライドランプ、或いは、ガラス球にフィラメントを封止してなる白熱電球を用いても良いことは勿論である。
【００１４】
図２はランプ３０が装着されたランプソケット４０を拡大して示す図であり、図３はランプ３０が装着されていない状態のランプソケット４０を拡大して示す図である。
ランプソケット４０は、例えば磁器等の絶縁性を有する有底筒状のソケット本体４１を有し、このソケット本体４１の内周部に、口金３２の螺条と螺合する螺条が形成された筒状の受金４２が設けられており、この受金４２にランプ３０の口金３２をねじ込んで装着される。
【００１５】
また、ソケット本体４１の底部には絶縁材からなる端子壁４３が形成されており、受金４２は、端子壁４３の裏面に設けた正又は負極用の図示せぬ端子台に、同じく図示せぬビスを介して接続されており、受金４２に差し込まれたランプ３０の口金３２の周面接点が、受金４２を介して、その端子台に導通するようになっている。
なお、この受金４２は、端子壁４３を貫通して、上記の端子台に接続するビス及び当て金（共に図示せず）によって端子壁４３に固定されているとともに、同じく、その端子壁４３を貫通する別のビス及び当て金（共に図示せず）によっても、端子壁４３に固定されている。
【００１６】
また、端子壁４３には、ランプ３０の口金３２の先端に設けられた先端接点（アイレットとも呼ばれる）３３に対応する中央接触子４６が設けられている。この中央接触子４６は、その根元部４６Ａが、ビス４５により端子壁４３に固定されており、口金３２の先端接点３３に接する先端部４６Ｂに向かうにつれて、端子壁４３から離れて、ソケット本体４１の開口である差込口６０側に立ち上がるように設けられている。このため、その中央接触子４６自体が板バネのように作用して弾性を有しており、これに接触するランプ３０の口金３２を差込口６０側へ付勢するようになっている。また、中央接触子４６の根元部４６Ａは、端子壁４３の裏面に設けた、上記の端子台の極と異なる極の端子台４４にビス４５を介して接続されており、受金４２に差し込まれたランプ３０の口金３２の先端接点３３が、その中央接触子４６の先端部４６Ｂに接触して、端子台４４に導通するようになっている。
【００１７】
さらに、中央接触子４６と端子壁４３との間には、コイルバネ４７を介在させており、口金３２の先端接点３３で中央接触子４６を押さえると、そのコイルバネ４７を介して中央接触子４６を口金３２側に付勢するようになっており、これにより、口金３２の先端接点３３と中央接触子４６の接触を確実にしている。このコイルバネ４７は、端子壁４３側の底部から差込口６０側の先端部へと向かうにつれてその巻き径が細くなる形状を成しており、その底部は、コイルバネ４７中央の中空部が端子壁４３に形成された突部４８に嵌められて、外れにくいようになっている。
【００１８】
ここで、図２に示すように、ランプ３０の外球３１の端部は、この端部よりも縮径した口金３２に接続されてネック（首）部３４が形成され、また、このネック部３４には、モリブテン箔等の金属箔が固着された封止部３５が設けられている。
ソケット本体４１の先端部４９は、少なくともランプ３０の封止部３５を覆い、ネック部３４を形成する外球３１の端部との間に若干の隙間ができる程度にまで、外径Ｒ１（図１参照）を等しくしたまま延出した延出部５１を有し、この延出部５１により指進入防止部５０が形成されている。この延出部５１は、その内径がソケット本体４１の先端部４９に近づくにしたがって次第に拡径するように、その内周面５１Ａがテーパ状に形成されている。
【００１９】
したがって、上記指進入防止部５０により、ランプ３０がランプソケット４０に装着された状態においては、ソケット本体４１の先端部４９と外球３１との間の隙間が狭まるため、ランプソケット４０の差込口６０に試験指Ｓが入ることが阻止され、指が口金３２に触れることが確実に防止される。
【００２０】
さらに、上記指進入防止部５０は、筒状のソケット本体４１の側壁を高さ方向に延出させた延出部５１により形成されているため、この指進入防止部５０が径方向に突出する事がない。特に、本実施形態のランプソケット４０においては、前掲図１に示すように、少なくとも反射鏡８の中に進入する部分の外径Ｒ１が、ランプ３０の外球３１の最大外径Ｒ２以内に収まる寸法に形成されている。したがって、前掲図７に示して説明したランプソケット１００の構成に比べ、ランプ３０から放射された光Ｌがランプソケット４０の指進入防止部５０に遮蔽されることがない。また、これにより、ランプソケット４０近傍の反射鏡８の反射面にて反射される光Ｌは、鉛直角又は／及び水平角が比較的大きな方向に向かうため、この光Ｌがランプソケット４０により遮蔽されない構成とすることで、照明器具１の照明効率の低下を防止することは勿論のこと、さらに、照明器具１から遠方方向の照明が可能となる。
【００２１】
さらに詳細には、本実施形態の照明器具１の器具効率、及び、道路を照明したときの照明率のそれぞれは、この照明器具１のランプソケット４０の代わりに前掲図７に示したランプソケット１００を採用した構成の照明器具の照明効率及び照明率に比べて数パーセント程度向上することが発明者らの実験により示されており、照明エリアに対する照明効率の点における本実施形態の照明器具１及びランプソケット４０の優位性は明らかである。      
【００２２】
また、指進入防止部５０の延出部５１の内周面５１Ａが、先端部４９に向かって拡径するテーパ状に形成されているため、ランプ３０をランプソケット４０に装着する際に、ランプ３０がランプソケット４０の中心線に対して若干傾いて装着されたとしても、ランプ３０の外球３１、特に、外球３１のネック部３４近傍がランプソケット４０の指進入防止部５０に接触してしまう事が防止可能となっている。
【００２３】
ところで、筒状のソケット本体４１の側壁を高さ方向に延出させて上記指進入防止部５０を形成し、ソケット本体４１の先端部４９とランプ３０の外球３１との間の隙間を狭めているため、ランプ３０をランプソケット４０に装着する際に、過度のねじ込み力をもってランプ３０をねじ込むと、ランプ３０の外球３１がソケット本体４１の先端部４９に突き当たり、傷が付いたりヒビが入る等の破損の恐れがある。
そこで、本実施形態においては、ランプ３０の口金３２の先端接点３３との導通を図るための中央接触子４６によって、上記ランプ３０の装着時における過度の挿入を規制する構成とされている。
【００２４】
図４は中央接触子４６を拡大して示す図であり、図４（Ａ）はランプ３０が装着されていない状態を、図４（Ｂ）はランプ３０が装着された状態を示している。
上記のように、中央接触子４６には、口金３２の先端接点３３に接する先端部４６Ｂが設けられており、この先端部４６Ｂは、コイルバネ４７の先端部が嵌り込むように上側に若干凹んだ形状に形成されると共に、この先端部４６Ｂのさらに最先端部には、ランプ３０の装着時に中央接触子４６が下側に押されたときに、端子壁４３に立設した戸当凸部４３Ａに当接する当接部４６Ｃが形成されている。
【００２５】
上記戸当凸部４３Ａはコイルバネ４７に並設され、当該コイルバネ４７よりも低い高さに形成されている。図４（Ａ）に示すように、戸当凸部４３Ａの高さ位置Ｘは、ランプ３０をランプソケット４０にねじ込んだときに該ランプ３０の装着が完了する最小ねじ込み位置Ｘ１と、ランプ３０の外球３１の下端部がランプソケット４０の先端部４９に当接する最大ねじ込み位置Ｘ２との間に、位置するように形成されている。なお、ランプ３０の装着が完了する最小ねじ込み位置Ｘ１とは、ランプソケット４０へのランプ３０のねじ込みにより、コイルバネ４７や中央接触子４６にランプ３０を押し上げる付勢力が生じ、この付勢力によってランプ３０の口金３２とランプソケット４０の受金４２との間に、ランプ３０の抜け落ちが防止される程度の十分な摩擦力が生じ始める位置である。
【００２６】
このような戸当凸部４３Ａを端子壁４３に立設し、また、この戸当凸部４３Ａに当接する当接部４３Ｃを中央接触子４６に設けたため、ランプ３０をランプソケット４０に装着する際には、比較的大きなねじ込み力をもってランプ３０がねじり込まれたとしても、図４（Ｂ）に示すように、中央接触子４６の当接部４６Ｃが戸当凸部４３Ａの上端に当接し、それ以上のランプ３０の挿入が規制されることとなり、ランプ３０の過度の挿入が確実に防止される。
【００２７】
以上説明したように、本実施形態によれば、ソケット本体４１の先端部４９を、少なくとも受金４２に螺合したランプ３０の封止部３５を覆う位置まで、外径Ｒ１を等しくしたまま延出させて形成した延出部５１を有する指進入防止部５０を備える構成としたため、この指進入防止部５０により、ソケット本体４１の先端部４９とランプ３０の外球３１との間の隙間が狭まり、ランプ３０が装着された状態においては、指がランプ３０の口金３２に触れることが防止される。
さらに、ソケット本体４１の先端部４９を、外径Ｒ１を等しくしたまま延出させた延出部５１により上記指進入防止部５０を形成したため、この指進入防止部５０がソケット本体４１の径方向に突出することがない。これにより、反射鏡８に向かうランプ３０の光Ｌが遮られることがなく、器具効率の低下が防止できる。
【００２８】
また、本実施形態によれば、指進入防止部５０の延出部５１の内周面５１Ａが、先端部４９に向かって拡径するテーパ状に形成されているため、ランプ３０をランプソケット４０に装着する際に、ランプ３０がランプソケット４０の中心線に対して若干傾いて装着されたとしても、ランプ３０の外球３１、特に、外球３１のネック部３４近傍がランプソケット４０の指進入防止部５０に接触してしまう事が防止される。
【００２９】
さらに、本実施形態によれば、ソケット本体４１の内部底面を構成する端子壁４３に、ランプ３０の口金３２の先端に設けられた先端接点３３に接触する中央接触子４６を設けると共に、当該中央接触子４６がランプ３０の先端接点３３に押されたときに当接しランプ３０の挿入を規制する戸当凸部４３Ａを端子壁４３に設け、この戸当凸部４３Ａが、ランプ３０の外球３１をソケット本体４１の先端部４９に接触させない位置で、ランプ３０の挿入位置を規制する構成としたため、ランプ３０をランプソケット４０に装着する際に、比較的大きなねじ込み力をもってランプ３０がねじり込まれたとしても、中央接触子４６が戸当凸部４３Ａの上端に当接することで、ランプ３０の過度の挿入が確実に防止される。
【００３０】
＜第２実施形態＞
次いで、本発明の第２実施形態について説明する。
上述した第１実施形態では、ランプソケット４０が器具本体３に予め内設された照明器具１について説明したが、本実施形態では、ランプソケット４０が器具本体から着脱自在に構成された照明器具７０について説明する。
図５は本実施形態に係る照明器具７０の構成を示す断面図であり、図６は照明器具７０の全体構成を示す斜視図である。
照明器具７０の器具本体７１は、下面を開口した平面略円形状をなすカップ形状に形成されており、その内面が反射面７１Ａとして構成され、また、器具本体７１の下面開口には前面ガラス７２が嵌め込まれている。
【００３１】
器具本体７１には、第１実施形態にて説明したランプソケット４０が挿通される挿通孔７３が形成されると共に、器具本体７１の外側から筒状の支持具７５が挿通孔７３に連通状態に結合されており、ランプ３０Ａを装着したランプソケット４０を支持具７５に挿入し、光源筒蓋７６で支持具７５を閉じることで当該ランプソケット４０が器具本体７１に取り付けられる。
【００３２】
上記ランプ３０Ａは、略筒状の外球３１Ａの端部に口金３２を固着して構成されており、筒状の外球３１Ａの外径Ｒ３に対してランプソケット４０の外径Ｒ１が略同程度になされており、第１実施実施形態と同様に、ランプソケット４０の指進入防止部５０によって、反射面７１Ａに向かうランプ３０Ａの光が遮られることがなく、器具効率の低下が防止されている。なお、該ランプソケット４０の外径Ｒ１を、ランプ３０Ａの外球３１Ａと同程度とする場合には、このランプ３０Ａから反射面７１Ａに向かう光をランプソケット４１が遮蔽しない限りにおいて、上記ランプソケット４０の外径Ｒ１がランプ３０Ａの外球３１Ａの外径Ｒ２よりも若干大きくても良いことは勿論である。
【００３３】
さらに、本実施形態によれば、上記第１実施形態で説明した効果に加え、ランプ３０Ａを着脱する際に、ランプソケット４０を挿入するための挿通孔７３として、ランプ３０Ａが挿通可能な程度の径の孔を反射面７１Ａに形成すれば良いため、挿通孔７３の径を必要最小限とすることができ、反射面７１Ａの面積が挿通孔７３によって不要に削られることがない。
【００３４】
なお、上述した第１及び第２実施形態は、あくまでも本発明の一態様を示すものであり、本発明の範囲内で任意に変形および応用が可能である。
例えば上述した各実施形態では、ランプソケット４０のソケット本体４１を、全体が同じ径の筒状としたが、これに限らない。すなわち、少なくとも反射鏡８或いは反射面７１Ａの内側に進入する部分の外径のみを、ランプ３０、３０Ａの外球３１、３１Ａの外径と略同程度、或いは、それ以下とする構成であれば、ランプ３０、３０Ａから反射鏡８或いは反射面７１Ａに向かう光を遮蔽することがないため、これら反射鏡８或いは反射面７１Ａの外側に出る部分においては、ランプ３０、３０Ａの外球３１、３１Ａの外径よりも大きな形状であっても良い。
【図面の簡単な説明】
【００３５】
【図１】本発明の第１実施形態に係る照明器具の断面図。
【図２】ランプが装着された状態のランプソケットを示す図。
【図３】ランプが装着されていない状態のランプソケットを示す図。
【図４】中央接触子を拡大して示す図であり、（Ａ）はランプが装着されていない状態を、（Ｂ）はランプが装着された状態を示す。
【図５】本発明の第２実施形態に係る照明器具の断面図。
【図６】同照明器具の外観を示す図。
【図７】本発明の参考例を示す図。
【符号の説明】
【００３６】
１、７０  照明器具
３、７１  器具本体
８  反射鏡
３０、３０Ａ  ランプ
３０Ａ  ランプ
３１、３１Ａ  外球
３２  口金
３３  先端接点
３４  ネック部
３５    封止部
４０  ランプソケット
４１  ソケット本体
４２  受金
４３Ａ  戸当凸部
４３Ｃ  当接部
４６  中央接触子
４９  先端部
５０  指進入防止部
５１  延出部
５１Ａ  内周面
７１Ａ  反射面
【図１】
2008234893.tif 000003
【図２】
2008234893.tif 000004
【図３】
2008234893.tif 000005
【図４】
2008234893.tif 000006
【図５】
2008234893.tif 000007
【図６】
2008234893.tif 000008
【図７】
2008234893.tif 000009